(57)【特許請求の範囲】
【請求項１】
エアクリーナからの吸気入口を有するサージタンクと内燃機関の各気筒との間を，各気筒ごとに独立した吸気枝管にて接続して成る吸気装置において，
前記各吸気枝管のうち少なくとも一つの吸気枝管は，前記サージタンクの底部から横向きに延びる接続部とこの接続部から上向きに曲がる立ち上がり部とを有しており，前記接続部の内底面を前記サージタンクの内底面から段落ちさせており，更に，前記段落ち部の上方に下向きの傾斜部を設けている，
内燃機関における吸気装置。
【請求項２】
前記請求項１の記載において，前記一つの吸気枝管の接続部は前記サージタンクの吸気入口と対向している，
内燃機関における吸気装置。
【発明の詳細な説明】
【技術分野】
【０００１】
本発明は，複数の気筒を備えた内燃機関において，エアクリーナから送られた吸気を各気筒に分配するための吸気装置に関するものである。
【背景技術】
【０００２】
最近の内燃機関においては，先行技術としての特許文献１及び２等に記載されているように，吸気効率を向上を図るために，エアクリーナからの吸気入口を有するサージタンクと内燃機関の各気筒との間を，各気筒ごとに独立する吸気枝管にて接続するという構成にした吸気装置が使用されている。
【先行技術文献】
【特許文献】
【０００３】
【特許文献１】特開昭５７−１９３７５５号公報
【特許文献２】特開２００６−１１８４３７号公報
【発明の概要】
【発明が解決しようとする課題】
【０００４】
前記各特許文献の記載の吸気装置は，そのいずれも，各気筒への吸気枝管を，サージタンクの底面から下向きに延びるように構成していることにより，前記サージタンク内における凝縮水等の水が液体のままの状態で吸気枝管を通って気筒の燃焼室に吸い込まれることになるから，燃焼の悪化を招来するおそれが大きいという問題がある。
【０００５】
また，特許文献２の吸気装置においては，サージタンク内における凝縮水等の水を，当該サージタンクの底に一旦溜めるようにしているが，このサージタンクの底に溜まった水は，内燃機関の始動の際，及び／又は，内燃機関の加速の際に，これも液体のままの状態で吸気枝管を通って気筒の燃焼室に一気に吸い込まれることになるから，内燃機関の始動性の低下や加速性の低下といった悪影響を及ぼすという問題がある。
【０００６】
本発明は，前記の吸気装置において，前記した問題を解消することを技術的課題としている。
【課題を解決するための手段】
【０００７】
この技術的課題を達成するため請求項１は，
「エアクリーナからの吸気入口を有するサージタンクと内燃機関の各気筒との間を，各気筒ごとに独立した吸気枝管にて接続して成る吸気装置において，
前記各吸気枝管のうち少なくとも一つの吸気枝管は，前記サージタンクの底部から横向きに延びる接続部とこの接続部から上向きに曲がる立ち上がり部とを有しており，前記接続部の内底面を前記サージタンクの内底面から段落ちさせており，更に，前記段落ち部の上方に下向きの傾斜部を設けている。」
ことを特徴としている。
【０００８】
また，請求項２は，
「前記請求項１の記載において，前記一つの吸気枝管の接続部は前記サージタンクの吸気入口と対向している。」
ことを特徴としている。
【発明の効果】
【０００９】
請求項１によると，サージタンクの底に溜まった凝縮水等の水は，前記サージタンクから各気筒への吸気枝管のうち一つの吸気枝管における横向きの接続部の底に入って溜まり，この水は，サージタンク内から気筒に向かうように流れる吸気によって吹き上げられることによって水滴になる。
【００１０】
この水滴は，前記横向きの接続部の下流側に設けられている上向きへの立ち上がり部において浮遊する状態で，吸気に比較的長い時間にわたって曝されることにより，大部分が気化することになる。
【００１１】
これにより，前記サージタンク内の底に溜まった水が，液体の状態のままで気筒の燃焼室に吸い込まれるのを大幅に少なくできるから，水の吸い込みよって燃焼性の悪化，始動性の低下及び加速性の低下を招来することを確実に低減できる。
【００１２】
特に，請求項２によると，前記サージタンク内の底に溜まった水は吸気流によって一つの吸気枝管内に積極的に押し込まれることになるから，前記した効果をより助長できる。
【図面の簡単な説明】
【００１３】
【図１】内燃機関の平面図である。
【図２】図１のII−II視右側面図である。
【図３】図１のIII −III 視正面図である。
【図４】図２のIV−IV視断面図である。
【発明を実施するための形態】
【００１４】
以下，本発明の実施の形態を，図１〜図４の図面について説明する。
【００１５】
これらの図において，符号１は複数個（三つ）の気筒２，３，４を備えた内燃機関を示し，この内燃機関１の一方の側面には吸気装置５が取付けられている。
【００１６】
この吸気装置５は，硬質合成樹脂製であり，前記内燃機関１の各気筒２，３，４における吸気ポート２ａ，３ａ，４ａよりも低い部位に配設したサージタンク６と，このサージタンク６と前記各気筒２，３，４における吸気ポート２ａ，３ａ，４ａとの間を各気筒２，３，４ごとに独立して接続する吸気枝管７，８，９とによって構成されている。
【００１７】
前記サージタンク６には，図示しないエアクリーナからの吸気が入る吸気入口１０が一体に設けられ，その上面には，前記各気筒２，３，４のうち二つ気筒２，３への吸気枝管７，８が一体に接続されている。
【００１８】
また，前記サージタンク６のうち前記吸気入口１０と反対側の部分における底部には，前記各気筒２，３，４のうち残り一つの気筒３への吸気枝管９が，横向きにして一体に接続されており，この横向きの接続部９ａは，前記吸気入口１０からの吸気が吹き込まれるように前記吸気入口１０と対向している。
【００１９】
前記一つの吸気枝管９には，前記横向きの接続部９ａから上向きに曲がる立ち上がり部９ｂが設けられている。
【００２０】
この構成において，前記サージタンク６の内底面６ａに溜まった凝縮水等の水は，前記サージタンク６から各気筒２，３，４への吸気枝管７，８，９のうち一つの吸気枝管９における横向きの接続部９ａの内底面９ａ′に入って溜まり，この水は，サージタンク６内から気筒に向かうように流れる吸気によって吹き上げられることによって水滴になる。
【００２１】
この水滴は，前記横向きの接続部９ａの下流側に設けられている上向きへの立ち上がり部９ｂにおいて浮遊する状態で，吸気に比較的長い時間にわたって曝されることにより，大部分が気化することになる。
【００２２】
この場合，前記一つの吸気枝管９における横向きの接続部９ａが前記サージタンク6 の吸気入口１０と対向していることにより，前記サージタンク６内の底に溜まった水は，吸気入口１０から入る吸気流によって一つの吸気枝管９内に積極的に押し込まれることになる。
【００２３】
また，前記一つの吸気枝管９における横向きの接続部９ａの内底面９ａ′を，前記サージタンク６における内底面６ａよりも一段低くしており，これにより，前記サージタンク６から前記一つの吸気枝管９への水の流れを良好にしている。また，図４のとおり，前記段落ち部の上方に下向きの傾斜部を設けている。
【００２４】
また，前記硬質合成樹脂製の吸気装置５は，図２に示す側面視において，その吸気入口１０の中心線１０′及び各吸気枝管７，８，９の中心線７′，８′，９′を境界線として，内燃機関１に対して内側に位置した部分と外側に位置した部分とに二つ割りにされた状態に別々に成形し，その両者を合わせて，振動溶着等にて一体に接合することによって製造される。
【００２５】
換言すると，合成樹脂製の吸気装置を，部品点数が少なく製造は容易ではあるが形状の制約が多い二つ割り構造とした場合においても，本件発明の形状とすることで，凝縮水が吸気装置内に溜まるという不具合を防止できる。
【符号の説明】
【００２６】
１  内燃機関
２，３，４  気筒
５  吸気装置
６  サージタンク
６ａ′  サージタンクの内底面
７，８，９吸  気枝管
９ａ  横向きの接続部
９ａ′  接続部の内底面
９ｂ  上向きの立ち上がり部
１０  吸気入口
【図１】
0005571370.tif 000002
【図２】
0005571370.tif 000003
【図３】
0005571370.tif 000004
【図４】
0005571370.tif 000005